(57)【要約】      （修正有）【課題】特段の知識や経験が無くても、手軽に生きた生活に役立つ情報あるいは取扱説明書の情報を動画情報としてパーソナルコンピュータや携帯電話に取得する。【解決手段】情報取得希望者は、携帯電話やパーソナルコンピュータなどの端末機によって動画による情報を簡単に得ることが出来、また商品の取扱説明書の動画配信希望者に対しても、カメラ付き携帯電話によってＱＲコードを商品の取扱説明書等から読みとることによって、手軽に取扱説明書の動画情報をサーバーからダウンロードすることが出来、さらに、店頭広告のＱＲコードより当該商品の利用例等の販売促進動画がみられる。【選択図】図１
2006113620.tif 000002
【特許請求の範囲】
【請求項１】
従来から情報収集や生活していく上での有用なる情報・ノウハウや工夫については、その属する周辺の地域や家族が担ってきた。
ところが地域コミュニケーションの崩壊・家族の核家族化により、個々人の家庭や地域でのスムーズな情報交換が困難になってきた。
そこでその代替えとしてインターネットを使用して文化・料理・衣服・生活の知恵・趣味・医療・娯楽・スポーツなどのハウツー情報を誰しも一番わかりやすい視覚に訴える方法として一目瞭然の動画のスタイルにてパソコン・携帯電話などに配信して情報販売を行う。
【請求項２】
上記、情報販売を行うにあたり、そのサービス提供を行うためにホームページを配信するWEBサーバーおよび動画を格納するストリーミングサーバーさらには当該動画を検索するデータベースサーバーの３つを有機的に結びつけたシステムを設計し本件情報販売サービスを受けるユーザーが自由にストレス無く動画をパソコン又は携帯電話など端末機にダウンロード出来る環境を構築する。
【請求項３】
一方で、本件ハウツー情報に付帯関連する製品はサービスを取り扱う企業に対しては広告出稿を募り当該企業のクレジットサービスや自社サイトへの提携リンクをすることによって当該企業から広告料を徴収し、収益を計上するので当該サービスを受けるユーザーは無償にて情報提供サービスを受けることが出来るという従来の民放コマーシャルと同様のシステムの広告メディアが構築できるのでひいてはインターネット上にて新しい広告メディアのシステムが発掘出来る可能性が広がる。
【請求項４】
さらに、二次元バーコード（ＱＲコード）を店頭POPやポスター・チラシ等に刷り込み、このＱＲコードを利用することによって現在市場で主流になっているカメラ機能付き携帯電話を利用してユーザーは各種商品の取扱説明書にＱＲコードを簡単に刷り込むことで、その製品の取扱方や使用例などの最新バージョンが自分の携帯電話から動画で見られる「サイバー取扱説明書」を展開する。
【請求項５】
二次元バーコードを各商店の店頭POP、ポスター。チラシなどに刷り込み、
カメラ付き携帯電話から各情報サイトにアクセスすることが出来るので、そこから配信されたその商品の動画広告や使用例が具体的に動画で見ることが出来るため、従来にない全く新しい販売促進メディアを構築することが出来る。
【発明の詳細な説明】
【技術分野】
【０００１】
インターネットを利用して、文化、生活情報、趣味、娯楽などの技術情報を動画でパーソナルコンピュータ及び携帯電話に配信する
システム
【背景技術】
【０００２】
従来、自分が有用だと考えたり思ったりする情報を入手するには自分の力で書物を調べたり、その方面にたけた、専門家や知識のある方々の協力を得ることないし、その対価を支払ってするしかなかった。しかも従来の方法であると気楽に自分の家にいながら行うとは言い難く、その取得する情報についても限度があった。
また、これまでもインターネット上で様々な情報について発信されているが、情報としては文字および静止画像のものが多く、また携帯電話を使用した同様のサイトはない。
また、既存のホームページでは、これまで紙によって伝達していた情報を単にホームページに掲載しているものがほとんどであり、今回のシステムのように動く・生きたノウハウや情報を手軽に端末機で取得できるものは少ないと思える。
また、今回のシステムはトリセツ（取扱説明書）取得希望者にはカメラ付き携帯電話を使用して商品POP等からＱＲコードを取り込みこれで広告主のホームページにフィードバックして動画等にて情報を得ることが出来る。
【発明の開示】
【発明が解決しようとする課題】
【０００３】
特段の知識や経験などが無くて、しかも手軽に生きた生活に役立つ情報あるいは取扱説明書の情報を動画情報としてパーソナルコンピュータや携帯電話に取得することが出来る。
【課題を解決するための手段】
【０００４】
本発明では、生活に有用なノウハウや知識などの情報あるいは商品の取扱説明書等をデジタルデータ化したものをコンピューターにて管理して、インターネット上で公開する。特に既存のものと区別される顕著な発明としては、特殊な専用ソフトを利用することなく、本システムのホームページにアクセス出来れば気軽に動画でだいたい３〜５分の時間でその内容を閲覧することが出来る点である。
【発明の効果】
【０００５】
店頭商品の場合にはその商品の利用例・販促動画を配信する。
本発明により、これまで限られていた動画情報をユーザーは携帯電話の端末等を手軽に利用してインターネット上にて取得することが可能になる。
トリセツ（商品の取扱説明書）の情報希望者にとっては当該商品についている取扱説明書に印刷されたＱＲコードをカメラ付き携帯電話によって取り込み、弊社のサーバーから動画配信の方法等によってよりわかりやすい取扱説明書ないしカタログの動画版を参照することが出来る。
配信される動画に企業のコメントや広告をテロップ等で流すという方法とともに、ハイパーリンクを設けることで企業のホームページへアクセスさせるという従来にない全く新しい広告媒体を確立出来る。
【発明を実施するための最良の形態】
【０００６】
以下、本発明の実施の形態につき説明する。
インターネット上で、ユーザーは必要な動画情報をＷＷＷサーバー、ＤＢ（データベース）サーバーを通じて検索を行い、パーソナルコンピュータもしくは携帯電話の端末機にダウンロードして動画ビューワーによって再生を行う。
図の１のハウツー情報取得希望者（購入）がコンテンツ提供者たる株式会社アジャストのサーバーからダウンロードして課金され情報を取得する。
図の２のハウツー情報取得希望者（無料）も課金されない情報をダウンロードする。またこれと同時に広告主ホームページフィードバックして広告主は株式会社アジャストにこれに応じて課金される。
図の３のトリセツ（取扱説明書）取得希望者（無料）も２と同様であるが、ＱＲコードをカメラ付き携帯電話から販売主のホームページからトリセツ動画をダウンロードする。商品取扱主はこれにより株式会社アジャストに課金される。
【実施例１】
【０００７】
本件システムと同様のシステムにより、動画に企業の広告を画像テロップ等で流すとともに、ハイパーリンクを設けることで簡単に当該企業のホームページにアクセスさせる従来にない全く新た恣意広告媒体を確立出来ることになる。
企業側は自社の商品パッケージや取扱説明書、店頭広告などにＱＲコード（二次元バーコード）を付け、それをカメラ付き携帯電話で撮影することで、動画配信サーバーへ自動アクセスさせる。
商品製品の取扱説明書の場合はその商品の使い方や利用例を動画で配信する。  
【産業上の利用可能性】
【０００８】
さらには、インターネットを利用することによって、インターネット接続環境があれば場所に依存しないため、これまで情報入手に不便であった地域の潜在的な需要を掘り起こすことができる。
【図面の簡単な説明】
【０００９】
【図１】本発明の、システムの概要を示す。
【図１】
2006113620.tif 000003